(57)【要約】【課題】  機器類支持用ポールの天板への取り付け操作を容易とするとともに構造の簡素化を図ることを課題とする。【解決手段】  デスクやテーブルの天板４下面に係合する下辺部１ａ、該天板上面から離間した位置に置かれる上辺部１ｂ，前記下辺部と上辺部とを結合する側辺部１ｃにより側面視略コ字状に形成されたクランプ本体１と、前記上辺部と下辺部との間にあって前記側辺部に上下方向移動可能に片持ち支持され前記天板４の上面に当接する押え板２と、前記クランプ本体１の上辺部に貫通支持されるポール３とを具備し、前記押え板２の上面に前記ポール３の下端を位置決めするポール位置決め部１２を形成し、前記ポール３にディスプレイ等の機器類を支持するための少なくとも一つの支持アーム１５を取り付けるようにしたことを特徴とする。【選択図】  図１
2005083538.tif 000002
【特許請求の範囲】
【請求項１】
デスクやテーブルの天板下面に係合する下辺部、該天板上面から離間した位置におかれる上辺部、前記下辺部と上辺部とを結合する側辺部により側面視略コ字状に形成されたクランプ本体と、前記上辺部と下辺部との間にあって前記側辺部に上下方向移動可能に片持ち支持され前記天板の上面に当接する押え板と、前記クランプ本体の上辺部に貫通支持されるポールとを具備し、前記押え板の上面にポールの下端を位置決めするポール位置決め部を形成し、前記ポールにディスプレイ等の機器類を支持するための少なくとも一つの支持アームを取り付けるようにしたことを特徴とする機器類支持用ポールのクランプ装置。
【請求項２】
前記クランプ本体の上辺部下面にナット部材が固着され、前記ポールの下部所要長さ範囲に前記ナット部材に螺合する雄ネジ部が形成されており、この雄ネジ部の基部にロックナットが螺合されている請求項１記載の機器類支持用ポールのクランプ装置。
【請求項３】
前記押え板は一端に立上げ部を有し、この立上げ部に挿通する止めネジを前記クランプ本体の側辺部に上下方向に穿設された長孔に挿通し、押え板の下面を天板上面に圧接させた状態で前記止めネジを締着することによりクランプ本体が天板に固定されるようになされている請求項１または２記載の機器類支持用ポールのクランプ装置。
【請求項４】
前記押え板に形成されるポール位置決め部は、ポールの下端が可及的密に嵌入し得る凹部で構成されている請求項１〜３のいずれか１項記載の機器類支持用ポールのクランプ装置。
【請求項５】
前記ポール位置決め部を構成する凹部が、前記押え板の上面に固着される円環状部材で形成されている請求項４記載の機器類支持用ポールのクランプ装置。
【発明の詳細な説明】
【技術分野】
【０００１】
本発明は、デスクやテーブルにコンピュータのディスプレイ、その他の事務用機器類を所望の高さ位置に支持するためのポールをデスク等の天板に固定する機器類支持用ポールのクランプ装置に関する。
【背景技術】
【０００２】
従来から、電話機やコンピュータのディスプレイ等の事務用機器をデスクの上面に直置きでなく所定の高さ位置に設置するようにして、天板面の有効利用と見やすさ、使いやすさ等の使用上の利便性を得るため、天板にポールを固定立設し、このポールに取り付けた支持アームに機器類を装着するようにしたものが広く使用されている。
【０００３】
ところで従来から用いられているポールの天板への固定手段は、図６に例示するように側面視略コ字状をなすクランプ本体ａの上辺部ｂの上面にポールｃの下端が固着されて立設され、クランプ本体ａの下辺部ｄの前記ポールｃと同一軸線上に止めネジｅが螺挿され、この止めネジｅの内端に回転自在に取り付けられた座板ｆと前記上辺部ｂの下面との間に天板ｇの側端部を挟み込み、前記止めネジｅの頭部ｈを回して締め付けることにより天板ｇを挟圧してポールｃを固定するようになされていた。
【０００４】
しかし上記従来のクランプ手段では、ディーリングデスクのように天板ｇの下に機器類が存在していたり、隣接するデスクとの間に隙間が存在しないような場合などでは、前記止めネジｅを締め込むために手や工具を天板ｇの下に差し入れることができず、ポールｃを強固に設立することがきわめて困難であった。
【０００５】
そのためポールｃをクランプする際にいちいちデスクを移動させ、止めネジｅの回転操作が可能な隙間を作らなければならず、ポールｃの着脱が容易ではなかった。
【０００６】
そこで近時、公知資料１にみられるように、天板の上面側からポールを天板にクランプすることができるようにしたものが提案されている。
【０００７】
この公知資料１に記載のものは、クランプ本体の上辺部に挿通するポールの下端に座板が回転的に一体化して設けられ、クランプ本体の下辺部を天板の側端部下面に当接させたのちポールをネジ込みその他の手段により下降させて該下辺部と座板とで天板に挟着されるようになされたものである。
【特許文献１】公知資料１  特開２００２−１７５０１９号公報
【発明の開示】
【発明が解決しようとする課題】
【０００８】
しかるに上記公知資料１に記載の技術では、ポールを天板に固定（クランプ）する際に天板の厚みに応じてポール自体を回転させて天板に挟着させることになるので、ポールの上下動機構がネジ式であると座板が天板の上面に到達するまでの間、クランプ本体を手で支えていなければならず、その固定操作が著しく煩らわしいという問題がある。
【０００９】
またポールの上下動機構をネジ以外の手段、例えばハンドル操作によりポールを上下動させる手段、あるいはモータによる上下動手段を採用すればポールを迅速に上下動させることは可能であるとしても、その上下動機構が著しく大掛りな、あるいは複雑高価な構造となって、ポール周辺を簡潔に構成することが難しい。
【００１０】
本発明は、天板の上面側からポールの取り付けができることはもとより、ポールの固定操作を容易とし、かつ構造を簡素化し得て安価に提供することができるようにしたもので、クランプ本体とは別に天板の上面に当接させる押え板を設け、この押え板をポールとは別体として単独で上下位置可変に構成し、この押え板とクランプ本体の下辺部とで天板に挟着させたのちクランプ本体の上辺部にポールを挿通してその下端を前記押え板で受けさせ、ポールを支持する構成としたことにある。
【００１１】
これにより天板へのクランプ操作が容易に行なえるとともに、構造の簡素化を図ることができたものである。
【００１２】
すなわち請求項１記載の発明は、デスクやテーブルの天板下面に係合する下辺部、該天板上面から離間した位置におかれる上辺部、前記下辺部と上辺部とを結合する側辺部により側面視略コ字状に形成されたクランプ本体と、前記上辺部と下辺部との間にあって前記側辺部に上下方向移動可能に片持ち支持され前記天板の上面に当接する押え板と、前記クランプ本体の上辺部に貫通支持されるポールとを具備し、前記押え板の上面にポールの下端を位置決めするポール位置決め部を形成し、前記ポールにディスプレイ等の機器類を支持するための少なくとも一つの支持アームを取り付けるようにしたことを特徴とする。
【００１３】
こうしたことにより、ポールを取り付ける際に、クランプ本体の下辺部を天板の側端部下面に当接させたうえ押え板を下降させて天板の上面に当接させて固定させれば、クランプ本体は天板に固定状態となり、クランプ本体から手を放してもクランプ本体が天板から脱落することがない。
【００１４】
次いでクランプ本体の上辺部にポールを挿通し、その下端を前記押え板のポール位置決め部に嵌合させればポールは垂直姿勢に立設される。
【００１５】
この場合、ポールを不回転とするには、ポールの下端を四角形等の多角形断面とし、押え板のポール位置決め部をこれに対応する多角形の凹部として両者が嵌合することにより回り止めとすればよい。
【００１６】
またポールの上辺部挿通部乃至は全体を多角形断面形状とし、上辺部の孔をこれに対応する多角孔として回り止めとしてもよい。
【００１７】
上記ポールの抜け止めを兼ねて自己の固定を確実に図る必要のあるときは、請求項２記載の発明のように、クランプ本体の上辺部下面にナット部材を固着し、前記ポールの下部所要長さ範囲に前記ナット部材に螺合する雄ネジ部を形成して、この雄ネジ部をナット部材に螺挿することにより立設されるようにすることができる。このとき雄ネジ部の基部にロックナットを螺合させておけばポールのゆるみ止めを確実にすることができる。
【００１８】
前記押え板の片持ち支持構造としては、請求項３記載のように、押え板の一端に立上げ部を形成し、この立上げ部に挿通する止めネジを前記クランプ本体の側辺部に上下方向に穿設された長孔に挿通し、押え板の下面を天板上面に圧接させた状態で前記止めネジを締着することによりクランプ本体が天板に固定されるようにすることが好ましい。
【００１９】
前記押え板に形成されるポール位置決め部は、ポールの下端が可及的密に嵌入し得る凹部で構成することができ、この凹部は前記押え板の上面に固着する円環状部材で構成することができる。
【発明の効果】
【００２０】
以上説明したように本発明によれば、側面視略コ字状をなすクランプ本体およびポールとは別に押え板を設け、この押え板クランプ本体の側辺部にそって上下位置調整後固定自在に構成したので、クランプ本体を天板の側端部に嵌合したのち 押え板を下降させて天板の上面に当接させて固定することによりクランプ本体を天板に取り付けることができ、クランプ本体の天板への取り付けを容易迅速に行なうことができる。
【００２１】
クランプ本体の取り付け後にクランプ本体にポールを立てればよいので、ポールを操作してクランプ操作してクランプするような煩わしい手数を不要とすることができる。
【発明を実施するための最良の形態】
【００２２】
以下、本発明を図面に示す実施の形態を参照して説明する。
【００２３】
図１は本発明を適用した機器類支持用ポールのクランプ装置の一実施形態の側面図を、図２は同平面図を示している。
【００２４】
本発明によるクランプ装置の構成部材としては、側面視略コ字形をなすクランプ本体１と、押え板２と、ポール３とからなっており、図示の実施の形態ではクランプ本体１にポール３をネジ込むようにした場合について示している。
【００２５】
前記クランプ本体１は、デスク等の天板４の側端部の下面に係合する下辺部１ａと、天板４の上面から上方に離間した位置におかれる上辺部１ｂと、これら下辺部１ａと上辺部１ｂとの一端を結合する側辺部１ｃとで構成され、上辺部１ｂの先端は下向きに屈曲する屈曲部１ｄを有している。
【００２６】
前記上辺部１ｂの中央部には、図３に示すように前記ポール３を挿通するための貫孔５と、その下面に該貫孔５と同心的に固着されたナット部材６とを有し、ポール３の下部所要表さ範囲に形成された雄ネジ部７がナット部材６に螺挿自在とされている。
【００２７】
前記押え板２は、一端に立上げ部２ａが形成されており、前記クランプ本体１の側辺部１ｃの左右部に一対として上下方向に穿設された長孔８に挿通されている止めネジ９が前記立上げ２ａに螺設されたネジ孔１０（または立上げ部２ａに容着されたナット部材１１）に螺挿することによりクランプ本体１に固定される片持ち支持構造とされている。
【００２８】
前記押え板２の前記ポール３と同一軸線上にポール３の下端が可及的に密に嵌入し得る凹部からなるポール位置決め部１２が設けられている。このポール位置決め部１２を構成する凹部は図４に見られるように円環状部材１３を押え板２の上面に溶着することにより形成されている。なお複数の突起を円環状に固着して、実質的な凹部とするようにしてもよい。
【００２９】
図１において符号１４は、ポール３の雄ネジ部７の基部に螺合されたロックナットで、ポール３のゆるみ止めとして使用される。
【００３０】
前記ポール３には、機器を装着するための支持アーム１５が取り付けられる。
【００３１】
この支持アーム１５は、従来から用いられているものと同様に基部の軸受部１６がポール３に回転自在に嵌合される第１アーム１７と、この第１アーム１７の先端の軸受部１８に基部の軸受部１９が軸２０により水平面内で回転自在に連結される第２アーム２１と、この第２アーム２１の先端軸受部２２に首振り自在に連結されディスプレイ等の機器２３を装着するための機器装着部２４とで構成されており、前記ポール３には支持アーム１５の高さ位置を定めるためのストッパリング２５が嵌合され、このストッパリング２５を止めネジ２６でポール３に固定し、その上に第１アーム１７の軸受部１６を載置することにより支持アーム１５の高さ、換言すれば機器２３の設置高さを最適位置に設定することができるようになっている。
【００３２】
なおこの支持アーム１５は１基に限らず、図５に示すように２基乃至はそれ以上取り付け、複数種の機器を装着するようにすることができる。また機器装着部２４は、装着する機器２３の種類に応じてその装着に適する構造のものとされる。
【００３３】
次に上記実施形態の作用を説明する。
【００３４】
デスク等の天板４の側端部にポール３を立設するに際しては、予め止めネジ９，９をゆるめたのちクランプ本体１の下辺部１ａを天板４の下面に係合させるとともに側辺部１ｃの内側面を天板４の端面に当接させ、次いで押え板２を下降させて天板４の上面に当接させる。
【００３５】
ポール３を押え板２に対し押し付け押え板２が天板４の上面に密接したところで止めネジ９，９を締め込むことにより、クランプ本体１はその下辺部１ａと押え板２とで天板４に挟着される。
【００３６】
こうしてクランプ本体１を天板４に固定したのちポール３を上辺部１ｂの貫孔５から挿入して雄ネジ部７をナット部材６に螺挿し、その下端を押え板２のポール位置決め部１２に嵌合させ、ポール３を強くネジ込むことにより押え板２は下方へ押されて天板４に圧接され、これによりクランプ本体１は天板４に強固に固定される。
【００３７】
さらに上辺部１ｂ上に位置するロックナット１４を締着してポール３のゆるみ止めを図る。これによりポール３はクランプ本体１に垂直姿勢に立設される。
【００３８】
次にストッパリング２５の位置を定めて止めネジ２６で固定したのちポール３に支持アーム１５の第１アーム１７の軸受部１６を嵌合し、ストッパリング２５に受けさせる。これにより図１に示すように最適な高さに支持アーム１５を取り付けることができ、その機器装着部２４に所定の機器２３を装着すればよい。
【００３９】
ポール３を取り外すときは、支持アーム１５をポール３から抜き外すか、取り付いたままポール３をゆるめ方向に回転させてナット部材６から抜きとり、次いで止めネジ９，９をゆるめれば押え板２はフリーとなり、これによりクランプ本体１を天板４から取り外すことができる。
【００４０】
上記押え板２の止めネジ９，９は、天板４の上面より上方の位置に存在するので、隣位のデスクとの間に間隔が無くとも締緩操作に支障はない。また天板４の下方に機器類が存在していても、当然ながらクランプ本体１の着脱操作に支障をきたすことはない。さらに図示実施形態のようにポール３をナット部材６にネジ込む構成とすれば、押え板２の固定手段に止めネジ９を用いず、摩擦により上下動可能として位置決めできる構成として実施可能である。
【００４１】
図示の実施形態では、ポール３をクランプ本体１にネジ込むようにした場合について示したが、仕様によってはクランプ本体１の上辺部１ｂの貫孔５に挿通するのみとし、ポール３、支持アーム１５、および機器２３の重量により押え板２の上面を押圧するようにしてもよい。この場合、ポール３の回り止め手段として、ポール３の下端の断面形状を四角乃至多角形とし、押え板２のポール位置決め部１２の凹部形状をそれに合致する形状として、両者の嵌合により回り止めする手段、あるいはクランプ本体１の上辺部１ｂに穿致する貫孔５自体を多角形状とし、ポール３の下方部をそれに適合する断面形状として回り止めとしてもよい。
【図面の簡単な説明】
【００４２】
【図１】本発明による機器類支持用ポールのクランプ装置の一実施形態のクランプ時の状態を示す側面図。
【図２】同、平面図。
【図３】同、要部の拡大断面図。
【図４】同、押え板を取り出して示す斜視図。
【図５】同、他の使用態様を示す図１担当図。
【図６】従来の技術を示すクランプ時の側面図。
【符号の説明】
【００４３】
１  クランプ本体
２  押え板
３  ポール
４  天板
６  ナット部材
７  雄ネジ部
８  長孔
９  止めネジ
１２  ポール位置決め部
１５  支持アーム
２３  機器
２４  機器装着部
２５  ストッパリング
【図１】
2005083538.tif 000003
【図２】
2005083538.tif 000004
【図３】
2005083538.tif 000005
【図４】
2005083538.tif 000006
【図５】
2005083538.tif 000007
【図６】
2005083538.tif 000008